(57)【特許請求の範囲】
【請求項１】
磁気テープから再生され入力される映像信号を増幅する再生アンプと、前記磁気テープに映像信号を記録する際に増幅する記録アンプと、再生時は前記再生アンプ側に切り換え記録時は前記記録アンプ側に切り換える第１のスイッチと、前記映像信号を復調する再生信号復調回路と、映像信号を前記磁気テープに記録するために変調する記録信号変調回路と、再生時は前記再生信号復調回路側に切り換え記録時は前記記録信号変調回路側に切り換える第３のスイッチと、前記第１及び第３のスイッチ間に設けられ前記再生アンプから前記第１のスイッチを介して入力される映像信号に含まれる妨害波を除去する周波数トラップ回路と、前記周波数トラップ回路を再生時は動作状態にかつ記録時は非動作状態に切り換える第２のスイッチと、前記第１から第３のスイッチを切り換え制御する切換制御回路とを備えたことを特徴とする磁気記録再生装置。
【請求項２】
磁気テープから再生され入力される映像信号を増幅する再生アンプと、前記磁気テープに映像信号を記録する際に増幅する記録アンプと、再生時は前記再生アンプ側に切り換え記録時は前記記録アンプ側に切り換える第１のスイッチと、前記映像信号を復調する再生信号復調回路と、映像信号を前記磁気テープに記録するために変調する記録信号変調回路と、再生時は前記再生信号復調回路側に切り換え記録時は前記記録信号変調回路側に切り換える第３のスイッチと、前記第１及び第３のスイッチ間に設けられ前記再生アンプから前記第１のスイッチを介して入力される映像信号に含まれる妨害波を除去する周波数トラップ回路と、を備える磁気記録再生装置の制御方法であって、
再生時には、前記第１のスイッチを前記再生アンプ側に切り換え、前記第３のスイッチを前記再生信号復調回路側に切り換え、前記周波数トラップ回路を動作状態にする一方、
記録時には、前記第１のスイッチを前記記録アンプ側に切り換え、前記第３のスイッチを前記記録信号変調回路側に切り換え、前記周波数トラップ回路を非動作状態にする
磁気記録再生装置の制御方法。
【発明の詳細な説明】
【０００１】
【発明の属する技術分野】
本発明は、磁気テープの再生時にテレビジョン受像機（以下、ＴＶと記す）からの妨害波の影響を除去する周波数トラップ回路を備えた磁気記録再生装置に関するものである。
【０００２】
【従来の技術】
磁気記録した磁気テープの再生時に、ＴＶのフライバックトランスからの妨害波を磁気ヘッド等が受け、復調した再生画にノイズが出ることがある。
これに対し、ヘッドの再生出力を増幅した後に周波数トラップ回路でＴＶからの妨害波の周波数を除去する方法が従来から知られている。このトラップ回路の構成を図２に示す。図２において、２４は磁気テープから磁気ヘッド（図示せず）で再生した再生映像信号が入力される入力端子、１１は入力端子２４から入力される再生映像信号を増幅する増幅器、１２は抵抗、１３はコイル、１４はコンデンサであり、これら抵抗１２とコイル１３とコンデンサ１４でＴＶからの妨害波を除去する周波数トラップ回路１９を構成する。１５は再生アンプ１１から周波数トラップ回路１９を介した映像信号を復調する再生信号復調回路、１７は映像信号を磁気テープに記録するためにＦＭ変調する記録信号変調回路、１６は記録信号変調回路１７で変調した映像信号を増幅する記録アンプ、２５は記録アンプ１６で増幅された映像信号を磁気ヘッドに出力する出力端子である。
【０００３】
以上のように構成された従来の磁気記録再生装置における妨害除去トラップについて、以下その動作について説明する。
まず、磁気テープに記録された信号は磁気ヘッドで再生され入力端子２４から入力される。この再生映像信号を再生アンプ１１で増幅し、復調に十分な利得を得る。ところがこの過程でＴＶからの妨害波が磁気ヘッドや再生アンプ１１等に混入し、再生映像信号に対しノイズ成分となる。このＴＶからの妨害波によるノイズ成分を周波数トラップ回路１９で除去する。ノイズ成分が除去された再生映像信号は再生信号復調回路１５で復調される。また、記録時は記録信号変調回路１７で映像信号をＦＭ変調し、記録アンプ１６で増幅して出力端子２５から出力され、磁気テープに記録される。
【０００４】
【発明が解決しようとする課題】
しかしながら上記従来の構成では、記録系と再生系が各々別の信号経路であったため、回路構成が大型化するという問題点があり、そこで記録系及び再生系を１つの信号経路にまとめる方法があるが、周波数トラップ回路１９のトラップ効果が再生系でのみ必要であるにも関わらず、記録系において不必要なトラップ効果が働いてしまうという問題点を有していた。
【０００５】
本発明は上記の問題点を解決するもので、記録系と再生系の信号経路を１本にまとめつつ、かつＴＶからの妨害を除去する周波数トラップ回路を再生系でのみ動作させる磁気記録再生装置を提供することを目的とする。
【０００６】
【課題を解決するための手段】
この目的を達成するために本発明の磁気記録再生装置は、磁気テープから再生され入力される映像信号を増幅する再生アンプと、前記磁気テープに映像信号を記録する際に増幅する記録アンプと、再生時は前記再生アンプ側に切り換え記録時は前記記録アンプ側に切り換える第１のスイッチと、前記映像信号を復調する再生信号復調回路と、映像信号を前記磁気テープに記録するために変調する記録信号変調回路と、再生時は前記再生信号復調回路側に切り換え記録時は前記記録信号変調回路側に切り換える第３のスイッチと、前記第１及び第３のスイッチ間に設けられ前記再生アンプから前記第１のスイッチを介して入力される映像信号に含まれる妨害波を除去する周波数トラップ回路と、前記周波数トラップ回路を再生時は動作状態にかつ記録時は非動作状態に切り換える第２のスイッチと、前記第１から第３のスイッチを切り換え制御する切換制御回路とを備えた構成を有している。
【０００７】
この構成によって、記録系と再生系の信号経路を単一化できると共に記録系に影響を与えずに再生系でＴＶからの妨害を除去する周波数トラップが得られる。
【０００８】
【発明の実施の形態】
本発明の請求項１及び２に記載の発明は、磁気テープから再生され入力される映像信号を増幅する再生アンプと、前記磁気テープに映像信号を記録する際に増幅する記録アンプと、再生時は前記再生アンプ側に切り換え記録時は前記記録アンプ側に切り換える第１のスイッチと、前記映像信号を復調する再生信号復調回路と、映像信号を前記磁気テープに記録するために変調する記録信号変調回路と、再生時は前記再生信号復調回路側に切り換え記録時は前記記録信号変調回路側に切り換える第３のスイッチと、前記第１及び第３のスイッチ間に設けられ前記再生アンプから前記第１のスイッチを介して入力される映像信号に含まれる妨害波を除去する周波数トラップ回路と、前記周波数トラップ回路を再生時は動作状態にかつ記録時は非動作状態に切り換える第２のスイッチと、前記第１から第３のスイッチを切り換え制御する切換制御回路とを備えたものであり、記録系と再生系で信号経路を単一化でき、かつ記録側に影響を与えずに再生信号のＴＶ妨害波を除去することが出来るという作用を有する。
【０００９】
以下、本発明の実施の形態について、図１を用いて説明する。
（実施の形態１）
図１は本実施の形態の磁気記録再生装置の構成を示す回路図である。図１において、２２は磁気ヘッドで再生された再生映像信号が入力される入力端子、１は入力端子２２から入力される再生映像信号を復調に必要な利得に増幅する再生アンプ、４は抵抗、５はコイル、６はコンデンサであり、これら抵抗４とコイル５とコンデンサ６とでＴＶからの妨害波を除去する周波数トラップ回路２０を構成する。７は周波数トラップ回路２０を動作状態または非動作状態に切り換える第２のスイッチであり、例えばトランジスタ等により構成される。３は再生時に再生アンプ１からの再生映像信号を周波数トラップ回路２０に入力するよう切り換えかつ記録時は周波数トラップ回路２０からの映像信号を記録アンプ２に入力するよう切り換える第１のスイッチ、８は再生時に周波数トラップ回路２０からの再生映像信号を再生信号復調回路９に入力するよう切り換えかつ記録時は記録信号変調回路１０からの映像信号を周波数トラップ回路２０に入力するよう切り換える第３のスイッチ、９は周波数トラップ回路２０から入力される再生映像信号を復調する再生信号復調回路、１０は映像信号を磁気テープに記録するためにＦＭ変調する記録信号変調回路、２は周波数トラップ回路２０から入力される映像信号を増幅する記録アンプ、２１は第１のスイッチ３、第２のスイッチ７及び第３のスイッチ８を再生時及び記録時に切り換え制御する切換制御回路である。
【００１０】
以上のように構成された本実施の形態の磁気記録再生装置について、以下その動作を説明する。
まず、再生時の動作について説明する。切換制御回路２１の制御により、第１〜第３のスイッチ３、７、８はそれぞれ端子ａ側に接続される。磁気ヘッドで出力された再生映像信号は入力端子２２から再生アンプ１に入力される。再生映像信号は再生アンプ１で増幅された後、第１のスイッチ３を介して、周波数トラップ回路２０に入力される。この過程でＴＶからの妨害波が磁気ヘッドや再生アンプ１等に混入し、再生映像信号に対しノイズ成分となる。しかしながら第２のスイッチ７は端子ａ側に接続されているため、周波数トラップ回路２０は動作状態となっており、再生映像信号に含まれるＴＶからの妨害波を除去する。周波数トラップ回路２０から出力された再生映像信号は、第３のスイッチ８を介して再生信号復調回路９に入力され復調される。
【００１１】
次に、記録時について説明する。切換制御回路２１の制御により、第１〜第３のスイッチ３、７、８はそれぞれ端子ｂ側に接続される。記録信号変調回路１０で変調された映像信号は、第３のスイッチ８を介して周波数トラップ回路２０に入力される。この時、第２のスイッチ７が端子ｂ側に接続されているため、周波数トラップ回路２０は非動作状態となっており、第３のスイッチ８から入力される映像信号の周波数特性は、周波数トラップ回路２０の影響を受けない。周波数トラップ回路２０から出力される映像信号は記録アンプ２で増幅され、出力端子２３から出力されて、磁気ヘッドで磁気テープに記録される。
【００１２】
以上のように本実施の形態によれば、ＴＶ妨害波の除去用の周波数トラップ回路２０を再生時のみに動作状態になるように第２のスイッチ７で切り換えることで、記録系と再生系の信号経路を単一化した時に、記録時にトラップの影響を与えずに再生映像信号のＴＶ妨害波を除去することが出来る。
【００１３】
【発明の効果】
以上のように本発明は、記録系と再生系の信号経路を単一化ことができるので、回路構成を簡素化することができると共に、再生時のみトラップ効果を得ることができるという優れた効果が得られる。
【図面の簡単な説明】
【図１】本発明の実施の形態の磁気記録再生装置の構成を示す回路図
【図２】従来の磁気記録再生装置の構成を示す回路図
【符号の説明】
１  再生アンプ
２  記録アンプ
３  第１のスイッチ
７  第２のスイッチ
８  第３のスイッチ
９  再生信号復調回路
１０  記録信号変調回路
２０  周波数トラップ回路
【図１】
0003632333.tif 000002
【図２】
0003632333.tif 000003